(57)【要約】【課題】左右両タイプのドアに適用可能で枠材の表裏の向きがわかりやすい左右兼用ドア枠のラッチ側縦枠材を提供すること。【解決手段】左右兼用ドア枠１０において、ドアのラッチと係合するストライカ２３を埋設するラッチ側縦枠材１１は、センターフレーム１４とサイドフレーム１５及び戸当たり部材１６からなり、センターフレームは、サイドフレーム及び戸当たり部材よりも若干長めに形成され、表側の中心の所定位置に凹部を形成してストライカを嵌合し、外側面に実溝２４を形成する。また、サイドフレームは、内側面に突条２７を形成し、突条基部の表側に切欠部を形成する。そして、センターフレームを第１切断線２５に沿って下端部を切除して所定の長さに形成すると共に、実溝に突条を嵌合し、切欠部に戸当たり部材を嵌合してラッチ側縦枠材を構成する。【選択図】図１
2006037347.tif 000002
【特許請求の範囲】
【請求項１】
左右兼用ドア枠材における左右どちらかの片開きドアのラッチが係合するストライカが埋設されたラッチ側縦枠材であって、センターフレームとサイドフレーム及び戸当たり部材からなり、前記センターフレームは、前記サイドフレーム及び前記戸当たり部材よりも若干長く形成され、表側の中心の所定位置に凹部を形成して前記ストライカを嵌合すると共に、外側面に嵌合部を形成し、前記サイドフレームは、内側面に被嵌合部を形成し、表側に切欠部を形成し、前記センターフレームの下端部側を切除して前記サイドフレームの長さに合わせると共に、前記嵌合部に前記被嵌合部を嵌合して、前記切欠部へ前記戸当たり部材を嵌合して固着したことを特徴とする左右兼用ドア枠のラッチ側縦枠材。
【請求項２】
前記両フレームの表側とセンターフレームの内側面及びサイドフレームの外側面に化粧材等を貼着したことを特徴とする請求項１に記載の左右兼用ドア枠のラッチ側縦枠材。
【発明の詳細な説明】
【技術分野】
【０００１】
本発明は、ドア枠に関し、より詳しくは片開きドアのラッチが係合するストライカを埋設するラッチ側縦枠材に関する。
【背景技術】
【０００２】
従前の片開きドア用のドア枠は、左右縦枠材の上端部を上枠材で連結した門形を有し、左右縦枠材のいずれか一方の縦枠材がドアのラッチと係合するストライカが嵌合される穴を形成したラッチ側縦枠材であって、他方の縦枠材が蝶番等でドアを回動自在に固着するようにした吊元側縦枠材である。
片開きドアが内開きである場合に、ドアの左側が回動自在に固着されている左吊元タイプとドアの右側が回動自在に固着されている右吊元タイプがある。
左吊元タイプは、ドアの右側に位置するラッチ側縦枠材はその前面の中央より若干下方で、かつ手前側にストライカを嵌合する凹部が形成されている。一方、右吊元タイプは、ドアの左側に位置するラッチ側縦枠材はその前面の中央より若干下方で、かつ手前側にストライカを嵌合する凹部が形成されている。したがって、左吊元タイプと右吊元タイプではストライカの位置が向かい合わせであって、ドアのタイプに合わせてラッチ側縦枠材を用意しなければならない。そのため、部材の種類が多くなり、製造コストが高くなる。
【０００３】
上記の問題を解決するため特許第３５４５７３３号公報に開示された左右兼用ドア枠がある。
この左右兼用ドア枠は、ラッチ側縦枠材にストライカを嵌合する穴を貫通させて設けることで、該縦枠材の表裏どちらからでもストライカを嵌合することができるように構成しており、またラッチ側縦枠材の両面に化粧シートを貼着することで、該縦枠材を表裏の区別無く組立てることができるようにしている。
【特許文献１】特許第３５４５７３３号公報
【発明の開示】
【発明が解決しようとする課題】
【０００４】
上記の左右兼用ドア枠はラッチ側縦枠材に設けたストライカの位置を確かめて左右どちらかのタイプの片開きドアを取り付けるようになっている。しかしながら、ラッチ側縦枠材の両面に化粧シートを貼着したため左右のタイプの見分けがつきにくく誤って取り付けてしまうおそれがある。
また、両面に貼着した化粧シートの内、ドアに対向して表面に現れるシート以外の部分は余分に貼着した部分であって、余分に貼着された化粧シートの分だけコストが高くなる。
【０００５】
したがって、本発明は上記の課題を鑑みて為されたものであって、左右両タイプのドアに適用可能で枠材の表裏の向きがわかりやすい左右兼用ドア枠のラッチ側縦枠材を提供することを目的とするものである。
【課題を解決するための手段】
【０００６】
上記の課題を解決するために本発明は、左右兼用ドア枠材における左右どちらかの片開きドアのラッチが係合するストライカが埋設されたラッチ側縦枠材であって、センターフレームとサイドフレーム及び戸当たり部材からなり、前記センターフレームは、前記サイドフレーム及び前記戸当たり部材よりも若干長く形成され、表側の中心の所定位置に凹部を形成して前記ストライカを嵌合すると共に、外側面に嵌合部を形成し、前記サイドフレームは、内側面に被嵌合部を形成し、表側に切欠部を形成して、前記センターフレームの下端部側を切除して前記サイドフレームの長さに合わせると共に、前記嵌合部に前記被嵌合部を嵌合して、前記切欠部へ前記戸当たり部材を嵌合して固着したことを特徴とする。
また好ましくは、前記両フレームの表側とセンターフレームの内側面及びサイドフレームの外側面に化粧材等を貼着した。
【発明の効果】
【０００７】
本発明によれば、ドアのラッチが係合するストライカが埋設されるラッチ側縦枠材は、センターフレームの外側面に形成した実溝とサイドフレームに形成した突条とを嵌合するようにした。すなわち、左右どちらかの吊元タイプに合わせて、サイドフレームよりも若干長めに形成されたセンターフレームの下端部側を切除してサイドフレームと長さを合わせてラッチ側縦枠材として用いる。したがって、センターフレームに形成したストライカを埋設する凹部の位置はどちらのタイプでも床面からの高さは変わらず、両フレームは左右どちらでも同じ面が表側に位置する。そのため、左右どちらの吊元タイプであっても下端部側を切除して所定の長さに形成したセンターフレームとサイドフレームと組み合わせることでラッチ側縦枠材を構成することが可能となり、コストを抑えることができる。
また、両フレームは左右どちらの吊元タイプであっても同一の面が表側に位置するため、表側に位置するセンターフレームの内側面とサイドフレームの外側面及び表側面に化粧材等を貼着することで、表裏の区別を容易につけることができる。
【発明を実施するための最良の形態】
【０００８】
左右兼用ドア枠において、ドアのラッチと係合するストライカを埋設するラッチ側縦枠材は、センターフレームとサイドフレーム及び戸当たり部材からなる。
前記センターフレームは、前記サイドフレーム及び戸当たり部材よりも若干長めに形成され、表側の中心の所定位置に凹部を形成して前記ストライカを嵌合し、外側面に実溝を形成する。
前記サイドフレームは、内側面に突条を形成し、突条基部の表側に切欠部を形成する。
前記センターフレームの下端部を切除して所定の長さに形成すると共に、前記実溝に前記突条を嵌合し、切欠部に前記戸当たり部材を嵌合してラッチ側縦枠材を構成する。
前記ラッチ側縦枠材と、上下対称となる所定位置に蝶番を固着して片開きドアを回動自在に保持する吊元側縦枠材及び両縦枠材の上端部を連結する上枠材によって左右兼用ドア枠は構成される。
【実施例１】
【０００９】
本発明の実施例を図に基づき説明する。片開きドアが内開きのときに、右側を支点として回動自在にドアが固定されているものを右吊元タイプ、左側を支点として回動自在にドアが固定されているものを左吊元タイプとする。
図１は本実施例に係る右吊元タイプの左右兼用ドア枠１０であって、ドアのラッチが係合するストライカ２３が取り付けられるラッチ側縦枠材１１と、蝶番３４が固着される吊元側縦枠材１２と、両縦枠材１１，１２を連結する上枠材１３から構成される。
【００１０】
ラッチ側縦枠材１１は、図１及び図２に示すようにセンターフレーム１４とサイドフレーム１５と戸当たり部材１６とからなる。
センターフレーム１４はサイドフレーム１５及び戸当たり部材１６よりも若干長くした木材等から形成され、表面１７側の中心に凹部を形成してストライカ２３を嵌合し、外側面１８の長手方向に沿って中心部分へ実溝２４を設け、上下両端に第１切断線２５と第２切断線２６が設けられる。そして表面１７と内側面１９及び外側面１８に木質化粧シート等の化粧材が貼着される。
サイドフレーム１５は木材等から形成され、内側面２２の中心へ長手方向に沿って突条２７を形成して、突条２７の基部で表面２０側の角部に切欠部２８を形成する。そして表面２０と内側面２２及び外側面２１に木質化粧シート等の化粧材が貼着される。
戸当たり部材１６は、木材或は硬質ゴム等から棒状に形成された部材であって、断面凸状になるように凸部１６ａを形成する。
そして、図２に示すようにセンターフレーム１４の下端部側を第１切断線に沿って切除し、センターフレーム１４とサイドフレーム１５の長さと表面１７，２０側を合わせて、実溝２４に突条２７を嵌合し、切欠部２８からなるラッチ側凹部２８ａに戸当たり部材１６の凸部１６ａを嵌合して右吊元タイプのラッチ側縦枠材１１は構成される。
【００１１】
ここで、右吊元タイプのドア枠１０及び片開きドア３５を図３に示す。
図１及び図３に示す吊元側縦枠材１２は、表面３０側の中心線に沿って吊元側凹部３３を形成し、表面３０と外側面３１及び内側面３２に木質化粧シート等の化粧材を貼着する。表面３０の吊元側凹部３３よりも内側面３２側で上下対称となる所定位置に、蝶番３４を固着し、戸当たり部材１６の凸部１６ａを吊元側凹部３３に嵌合して右吊元タイプの吊元側縦枠材１２は構成される。
右吊元タイプの片開きドア３５は、右側面に蝶番３４を回動自在に固定し、ドアハンドル３６を内外側面の左側に設けて、片開きドア３５の内側面右側端部を支点として内開きであるように構成されている。
片開きドア３５の左側に立設したラッチ側縦枠材１１に対向して吊元側縦枠材１２を片開きドア３５の右側に立設させ、上枠材１３で両縦枠材１１，１２を連結して右吊元タイプのドア枠１０を構成する。
【００１２】
次に、左吊元タイプのドア枠１０Ａ及び片開きドア３５Ａを図５に示す。
センターフレーム１４は、ストライカ１７を嵌合した表面１７を反転させて表面１７Ａとする。それに伴い第２切断線２６が下端部側に位置するように上下反転する。
サイドフレーム１５は、表面２０を反転させて表面２０Ａとする。しかし、上下端を反転させるため、内側面２２に設けた突条２７の位置は変わらない。
そして、図４に示すようにセンターフレーム１４の下端部側を第２切断線２６に沿って切除し、実溝２４に突条２７を嵌合し、切欠部２８によって形成されるラッチ側凹部２８ａに戸当たり部材１６の凸部１６ａを嵌合して左吊元タイプのラッチ側縦枠材１１Ａは構成される。
ここで、左吊元タイプの吊元側縦枠材１２Ａは、表面３０を反転させて表面３０Ａとする。そして上下反転し、内側面３２側に蝶番３４が位置するようにする。
右側に立設したラッチ側縦枠材１１Ａに対向して吊元側縦枠材１２Ａを片開きドア３５Ａの左側に立設させ、上枠材１３で両縦枠材１１Ａ，１２Ａを連結してドア枠を構成する。
【００１３】
ラッチ側縦枠材１１は、センターフレーム１４とサイドフレーム１５間に樹脂系の接着剤等を介して接着するか或はそれに類する方法で貼着する。ラッチ側凹部２８ａと吊元側凹部３３に嵌合する戸当たり部材１６も同様に貼着されるか、又は釘等の固着具を介して縦枠材に固着される。
そして、戸当たり部材１６は、片開きドア３５が閉まり過ぎてラッチ側縦枠材１１と密着してしまうことを防いだり、また手指が左右兼用ドア枠１０と片開きドア３５に挟まれることを防ぐことができる。
【図面の簡単な説明】
【００１４】
【図１】本発明の実施例１に係る右吊元タイプのドア枠を示す斜視図である。
【図２】本発明の実施例１に係る右吊元タイプのラッチ側縦枠材を示す斜視図である。
【図３】本発明の実施例１に係る右吊元タイプのドアとドア枠を示す平面図である。
【図４】本発明の実施例１に係る左吊元タイプのラッチ側縦枠材を示す斜視図である。
【図５】本発明の実施例１に係る左吊元タイプのドアとドア枠を示す平面図である。
【符号の説明】
【００１５】
１０…右吊元タイプのドア枠、１１…ラッチ側縦枠材、１２…吊元側縦枠材、１３…上枠材、
１４…センターフレーム、１５…サイドフレーム、１６…戸当たり部材、１６ａ…凸部、
１７…センターフレームの表面、１８…センターフレームの外側面、１９…センターフレームの内側面、
２０…サイドフレームの表面、２１…サイドフレームの外側面、２２…サイドフレームの内側面、
２３…ストライカ、２４…実溝、２５…第１切断線、２６…第２切断線、２７…突条、２８…切欠部、２８ａ…ラッチ側凹部、
３０…吊元側縦枠材の表面、３１…吊元側縦枠材の外側面、３２…吊元側縦枠材の内側面、
３３…吊元側凹部、３４…蝶番、
３５…片開きドア、３６…ドアハンドル、
１０Ａ…左吊元タイプのドア枠、１１Ａ…左吊元タイプのラッチ側縦枠材、
１７Ａ…センターフレームの表面、２０Ａ…サイドフレームの表面、３０Ａ…吊元側縦枠材の表面、３５Ａ…左吊元タイプの片開きドア。
【図１】
2006037347.tif 000003
【図２】
2006037347.tif 000004
【図３】
2006037347.tif 000005
【図４】
2006037347.tif 000006
【図５】
2006037347.tif 000007